(57)【要約】【課題】隣接する赤外線発光器からの送信データが重なり合う領域が生じる場合においても、その管理領域をきめ細かく設定できるようにした赤外線通信における干渉による誤動作防止方法を提供すること。【解決手段】干渉のおそれがある隣り合った赤外線発光器１１，１２，１３の送信データが重なる領域にて、その赤外線発光器１１，１２，１３の中間位置を示すデータとなるように送信データのパルス信号を設定する。【選択図】  図１
2004297466.tif 000002
【特許請求の範囲】
【請求項１】
位置ＩＤを示す赤外線パルスを特定領域に照射し、その赤外線パルスを受信したタグが位置ＩＤとタグのＩＤを同時にタグ受信機へ送信することで、どの領域にどのＩＤのタグが存在するのかを検知するシステムにおいて、干渉のおそれがある隣り合った赤外線発光器の送信データが重なる領域にて、その赤外線発光器の中間位置を示すデータとなるように送信データのパルス信号を設定するようにしたことを特徴とする赤外線通信における干渉による誤動作防止方法。
【発明の詳細な説明】
【０００１】
【発明の属する技術分野】
本発明は、赤外線通信における干渉による誤動作防止方法に関し、特に、隣接する赤外線発光器からの送信データがその一部で重なり合う領域におけるその送信データを、中間位置を示すデータとなるよう送信データのパルス信号を設定することにより、管理領域をきめ細かく設定できるようにした赤外線通信における干渉による誤動作防止方法に関するものである。
【０００２】
【従来の技術】
従来、位置ＩＤを示す赤外線パルスを特定領域に照射し、その赤外線パルスを受信したタグが位置ＩＤとタグのＩＤを同時に無線でタグ受信機へ送信することで、どの領域にどのＩＤが存在するのかを検知し、管理するようにした赤外線通信が提案されている。
ところで、複数個の赤外線発光器を設置し、各赤外線発光器より赤外線パルスを照射して各赤外線発光器とタグ間でそれぞれ異なる通信を行う場合、隣接赤外線発光器間の赤外線が重なる領域が生じると、その赤外線パルスが重なる領域に位置するタグは、双方の通信データを受信するものとなり、不確定なデータ或いは全く別の領域からのデータとして判断して不具合が生じる。このため、複数個の赤外線発光器を設置する時には、各赤外線発光器より照射される赤外線パルスの照射範囲の領域が互いに重ならないような位置に設置している。
【０００３】
【発明が解決しようとする課題】
ところで、上記従来の赤外線通信においては、各赤外線発光器の赤外線パルスの照射範囲の領域が互いに重ならない位置に限定して赤外線発光器を設置するようにしているため、赤外線発光器の設置位置が限定されるとともに、管理領域をきめ細かく設定することができないという問題があった。
【０００４】
本発明は、上記従来の赤外線通信の有する問題点に鑑み、隣接する赤外線発光器からの送信データが重なり合う領域が生じる場合においても、その管理領域をきめ細かく設定できるようにした赤外線通信における干渉による誤動作防止方法を提供することを目的とする。
【０００５】
【課題を解決するための手段】
上記目的を達成するため、本発明の赤外線通信における干渉による誤動作防止方法は、位置ＩＤを示す赤外線パルスを特定領域に照射し、その赤外線パルスを受信したタグが位置ＩＤとタグのＩＤを同時にタグ受信機へ送信することで、どの領域にどのＩＤのタグが存在するのかを検知するシステムにおいて、干渉のおそれがある隣り合った赤外線発光器の送信データが重なる領域にて、その赤外線発光器の中間位置を示すデータとなるように送信データのパルス信号を設定するようにしたことを特徴とする。
【０００６】
この赤外線通信における干渉による誤動作防止方法は、干渉のおそれがある隣り合った赤外線発光器の送信データが重なる領域が生じる場合においても、その赤外線発光器の中間位置を示すデータとなるように送信データのパルス信号を設定していることから、隣接する赤外線発光器間の中間位置の検出が可能となり、タグがどの領域に存在する場合でも、各タグからの位置情報を正確に判断することができ、簡易な方法で管理領域をきめ細かく設定することができる。
【０００７】
【発明の実施の形態】
以下、本発明の赤外線通信における干渉による誤動作防止方法の実施の形態を図面に基づいて説明する。
【０００８】
図１〜図２に、本発明の赤外線通信における干渉による誤動作防止方法を適用した実施例を示す。
赤外線通信を行うため、複数（図示の実施例では３個）の赤外線発光器１１，１２，１３を、例えば、天井ＣＬに所定間隔、或いは任意の間隔で配設し、各赤外線発光器１１，１２，１３より床面Ｆ方向に向かって予め設定した特定領域（照射エリア）に、位置ＩＤを示す赤外線パルスを照射するようにするとともに、この各赤外線発光器１１，１２，１３より照射される赤外線パルスを、人が携帯する又は移動する車両などに取り付けたタグ３１，３２，３３，３ｎ（図示の実施例では４個）のいずれかにて受信し、かつ特定の赤外線パルスを受信したタグが位置ＩＤとタグのＩＤを同時にそのデータを送信し、各赤外線発光器１１，１２，１３にそれぞれ接続したタグ受信機２１，２２，２３にて受信できるようにする。
なお、このタグは、設定された領域に出入りするすべてのものにそれぞれ１つずつ取り付けられ、同時に複数の人或いは車両が移動できるようにする。
【０００９】
この場合、管理領域をきめ細かく設定できるようにするため、隣接する赤外線発光器１１，１２，１３より照射される赤外線パルスの照射エリアはそれぞれＡ，Ｂ，Ｃとなり、図１，図２に示すように、床面Ｆ或いは床面近傍位置において送信データの一部重なり合う領域が生じることがある。この照射エリアＡ，Ｂ，Ｃの重なり合う領域を、Ａ＋Ｂ及びＢ＋Ｃとする。
【００１０】
また、赤外線発光器１１，１２，１３には、それぞれタグ受信機２１，２２，２３を接続し、特定の赤外線発光器から照射されている赤外線パルスを受信したタグが、位置ＩＤとタグのＩＤを同時に送信する送信データを受信できるようにする。
【００１１】
次に、この赤外線通信における干渉による誤動作防止方法の動作について説明する。
図１において、赤外線発光器１１から照射される赤外線パルスの照射エリアＡの領域内にあるタグ３１は、赤外線発光器１１からの赤外線パルスのみを受信し、位置ＩＤとタグ３１のＩＤを同時に送信することにより、特定のタグ受信機２１により送信データを受信する。これによりタグ３１の正確な位置が検出される。
同様に、赤外線発光器１２の照射エリアＢの領域内にあるタグ３２及び赤外線発光器１３の照射エリアＣの領域内にあるタグ３３も、特定の赤外線発光器１２又は１３よりの送信データを受信し、位置ＩＤとタグ３１のＩＤを同時に送信することにより、特定のタグ受信機２２又は２３により送信データを受信し、タグ３２又は３３の正確な位置が検出される。
このようにして、タグがどの領域に移動しても、その正確な位置を検出することができる。
【００１２】
しかし、隣接する２つの赤外線発光器１１と１２から照射される赤外線パルスの照射エリアＡとＢとの互いに重なる領域、又は赤外線発光器１２と１３から照射される赤外線パルスの照射エリアＢとＣとの互いに重なる領域との間に、例えば、図１に示すように、タグ３ｎが照射エリアＡとＢとの互いに重なる領域にある場合、このタグ３ｎは隣接する双方の赤外線発光器１１と１２とから照射される双方の赤外線パルス（送信データ）を受信することになり、タグ３ｎは不正確なデータ、若しくは全く別の領域からのデータとして判断され、不具合が生じる。
【００１３】
そこで、本発明では、隣接する２つの赤外線発光器から照射される赤外線パルスの照射エリアの互いに重なる領域において、隣接する２つの赤外線発光器の中間位置を示すデータとなるように送信データのパルス信号を設定する。
これは、特に限定されるものではないが、例えば、表１に示す赤外線発光器の信号パルスパターンのように、２進数レベルで重ならないように設定し、重なった領域が生じる場合に中間位置を示すデータとなるように設定する。
【００１４】
【表１】
2004297466.tif 000003
【００１５】
なお、この表１は、極めて単純な例を示したものであり、より複数に照射エリアが重なり合う領域についても、これを応用することによって、容易に対応することができる。
【００１６】
これにより、赤外線発光器の中間位置の検出が可能となり、タグがどの領域内に存在する場合でも、各タグからの位置情報を正確に判断することができるようになり、管理領域を従来に比べてきめ細かく設定することができるものとなる。
【００１７】
以上、本発明の赤外線通信における干渉による誤動作防止方法について、その実施例に基づいて説明したが、本発明は上記実施例に記載した構成に限定されるものではなく、その趣旨を逸脱しない範囲において適宜その構成を変更することができるものである。
【００１８】
【発明の効果】
本発明の赤外線通信における干渉による誤動作防止方法によれば、隣接する２つの赤外線発光器から照射される赤外線パルスの照射エリアが、互いに重なる領域において、この隣接する２つの赤外線発光器の中間位置を示すデータとなるように送信データのパルス信号を設定しているから、赤外線発光器間の中間位置の検出が可能となり、タグがどの領域に存在する場合でも、各タグからの位置情報を正確に判断することができ、簡易な方法で管理領域をきめ細かく設定することができる。
【図面の簡単な説明】
【図１】本発明の赤外線通信における干渉による誤動作防止方法の実施の形態を示す側面図である。
【図２】隣り合った赤外線発光器の出力信号のパルスパターンを示す説明図である。
【符号の説明】
１１  赤外線発光器
１２  赤外線発光器
１３  赤外線発光器
２１  タグ受信機
２２  タグ受信機
２３  タグ受信機
３１  特定の赤外線発光器からの照射エリア内にあるタグ
３２  特定の赤外線発光器からの照射エリア内にあるタグ
３３  特定の赤外線発光器からの照射エリア内にあるタグ
３ｎ  照射エリアの重なる領域内にあるタグ
Ａ    赤外線発光器からの照射エリア
Ｂ    赤外線発光器からの照射エリア
Ｃ    赤外線発光器からの照射エリア
Ａ＋Ｂ  照射エリアの重なる領域
Ｂ＋Ｃ  照射エリアの重なる領域
【図１】
2004297466.tif 000004
【図２】
2004297466.tif 000005